(57)【要約】      （修正有）【課題】軽量で、収容場所を取らず、フレームの組立と解体が容易であるフレキシブルコンテナバックを提供する。【解決手段】鉄鋼製であり、支持パイプ２と、支持パイプ２に取り付けられる一対の連結パイプ３，３と、それぞれの連結パイプ３，３の軸方向に移動可能かつ周方向に回動自在に挿通される一対のコ字形状のスタンドパイプ４，４と、を備えるスタンド部材５と、コ字形状に形成されるアーム部材６と、を備えている。このスタンド部材５の上部とアーム部材６が軸方向に抜き差し可能に構成され、スタンドパイプ４，４が連結パイプ３の軸方向に移動し周方向に回動することにより、スタンド部材５が折り畳まれて平面的構成となることを特徴とする。フレーム１では、連結パイプ３，３の下部の位置において、一対のスタンドパイプ４，４の同じ高さの位置にそれぞれストッパを設けている。【選択図】図１
0003161601.tif 000002
【実用新案登録請求の範囲】
【請求項１】
支持パイプと、前記支持パイプに取り付けられる少なくとも一対の連結パイプと、前記それぞれの連結パイプの軸方向に移動可能かつ周方向に回動自在に挿通される一対のコ字形状のスタンドパイプと、を備えるスタンド部材と、
コ字形状に形成されるアーム部材と、
を備え、
前記スタンド部材の上部と前記アーム部材が軸方向に抜き差し可能に構成され、
前記スタンドパイプが前記連結パイプの軸方向に移動し周方向に回動することにより、前記スタンド部材が折り畳まれて平面的構成となる、
ことを特徴とする軽量折り畳み式フレキシブルコンテナバック・フレーム。
【請求項２】
前記一対のスタンドパイプの同じ高さの位置にそれぞれストッパを設け、前記連結パイプによって前記スタンドパイプの軸方向の移動範囲が規制されることを特徴とする請求項１の軽量折り畳み式フレキシブルコンテナバック・フレーム。
【考案の詳細な説明】
【技術分野】
【０００１】
本考案は、フレキシブルコンテナバッグを取り付けるための軽量折り畳み式フレキシブルコンテナバッグ・フレームに関する。
【背景技術】
【０００２】
特許文献１に記載の発明は、不使用時においては折り畳むことができると共に、使用時には自立状態とすることができるフレキシブルコンテナバッグの提供を課題とする。また内部に収容された物の様子を外部から観察することができるフレキシブルコンテナバッグの提供を課題とし、不使用時には折り畳むことができると共に、使用時には方形の容器１０に広げることができるフレキシブルコンテナバッグ１であって、容器１０の４つの垂直方向稜線１１ａ、１１ｂ、１１ｃ、１１ｄに沿って支持棒を着脱自在に立設配置させるための支持棒取り付け手段１２（１２ａ、１２ｂ）を設けてある。
【０００３】
特許文献２に記載の発明は、搬送がしやすく、保管・運搬時の安定性に優れ、耐久性に優れ、内容物の飛散も防止できるフレキシブルコンテナを提供することを目的とし、貯留袋部の外周囲に、該貯留袋部を固定支持するフレームを設けて、貯留部をフレーム内に収容し、該貯留部の上部に設けられる注入筒部および貯留部の下部に設けられる排出筒部を、前記フレームから所定長さ突出して開口させて、フレーム内に位置する貯留袋部における排出筒部の根元部近くで、該貯留袋部の外周面に、ひだ部を一体的に形成すると共に、該ひだ部に、ひだ部を挟持して固定されるリング状の一対の固定部と、一方の固定部の内周縁部から突出される筒状部とを備えるフランジを取り付けて、前記ひだ部とフランジ部とにより、フレーム内において、排出筒部を囲み、折り畳まれた排出筒部を収納する収納部を形成すると共に、前記筒状部の突出側開口部に、蓋体を取外し可能に設ける構成したものである。
【０００４】
特許文献３に記載の発明は、充填に際し底部排出筒の閉塞が簡単で、排出時の排出筒の開口が外部より容易に操作できるコンテナラック付きフレキシブルコンテナの提供を目的とし、支持ネット４の中央円形開口部をロープ６の牽引または弛緩により縮小又は拡開できるようにしたコンテナラックと、下底排出部を排出筒リング２０を設けた排出筒１９，スカートリング２２を取り付けた排出筒スカート２１で構成したフレキシブルコンテナの組み合わせであって、排出筒リングを捻り回転させてスカートリング内に納め、これらを縮小した支持ネット中央部上に載置してコンテナ内に粉粒体を充填する。排出に際してロープ６を緩めるとネット中央口から排出筒及び排出筒スカートが垂下し、排出筒の捻りは自動的に解け、内容物が流出するものである。
【０００５】
特許文献４に記載の発明は、複数段積みが可能であり、かつ、ワンタッチで展開作業および折畳み作業を行うことができ、これによって粉粒物の装填作業効率および収納作業効率の向上を図るための粉粒物の移送用または貯蔵用に使用されるコンテナバッグ１であって、袋状のバッグ本体２は、外周面および内周面の内のいずれか一方または双方に周方向に等ピッチで取り付けられた直立姿勢保持用の複数本の姿勢保持部材を有し、この姿勢保持部材は、上下寸法がバッグ本体２の展開時の上下寸法と略同一に設定された上に凸の円弧状ロッド４によって形成されている。
【０００６】
特許文献５に記載の発明は、フォークの挿入部に配設する補強層の構造特定することにより、耐久性とともに形状の安定性に優れ、内容物の排出性の優れたフレキシブルコンテナ袋を提供するため、実質上直方体状をなし、両側面の下端にリフティング用のフォークを挿入するためのほぼＬ字型の切欠部１を有するフレキシブルコンテナ袋Ｆにおいて、（１）該Ｌ字型の切欠部１に、並列した複数本の有機繊維コードを被覆ゴム中に埋設してなるコード補強層３を配置し、（２）コード補強層３のコード方向が、側面の奥行き方向に対して直交して配列されており、（３）可撓性材料よりなる強化層６を、Ｌ字型の切欠部１の角部２を除いたコード補強層３の表面に配置するものである。
【０００７】
特許文献６に記載の発明は、直方体形状に構成したフレキシブルコンテナに関し、コンテナ本体の長辺側側壁を延長した場合においても、コンテナ本体の外形を直方体形状に保ち得る保形機能を備えるために、コンテナ本体ａ内にて対向する長辺側の側壁面の略中央部間にわたって略垂直面状に展張する隔膜材１０を架設して成り、上記隔膜材１０によりコンテナ本体ａ長辺側側壁中央部の膨出を防止するものである。
【先行技術文献】
【特許文献】
【０００８】
【特許文献１】特開２００２−１４５３９０号公報
【特許文献２】特開２０００−３０９３９２号公報
【特許文献３】特開平０８−１４３０９５号公報
【特許文献４】特開平１１−１８０４８８号公報
【特許文献５】特開平１０−２１８２８４号公報
【特許文献６】特開平１０−２３６５７９号公報
【考案の概要】
【考案が解決しようとする課題】
【０００９】
しかしながら、従来の特許文献１〜６のものでは、コンテナ等の重量が重く、収容場所をとり、組立と解体が面倒であるという問題がある。
【００１０】
そこで、フレキシブルコンテナバックを取り付けるコンテナ等を軽量化し、収容場所を取らず、組立と解体が容易な軽量折り畳み式フレキシブルコンテナバッグ・フレームを提供することを課題とする。
【課題を解決するための手段】
【００１１】
上記課題に鑑み、請求項１の軽量折り畳み式フレキシブルコンテナバッグ・フレームは、支持パイプと、前記支持パイプに取り付けられる少なくとも一対の連結パイプと、前記それぞれの連結パイプの軸方向に移動可能かつ周方向に回動自在に挿通される一対のコ字形状のスタンドパイプと、を備えるスタンド部材と、コ字形状に形成されるアーム部材と、を備え、前記スタンド部材の上部と前記アーム部材が軸方向に抜き差し可能に構成され、前記スタンドパイプが前記連結パイプの軸方向に移動し周方向に回動することにより、前記スタンド部材が折り畳まれて平面的構成となる、ことを特徴とする軽量折り畳み式フレキシブルコンテナバック・フレームである。
【００１２】
請求項２の軽量折り畳み式フレキシブルコンテナバッグ・フレームは、前記一対のスタンドパイプの同じ高さの位置にそれぞれストッパを設け、前記連結パイプによって前記スタンドパイプの軸方向の移動範囲が規制されることを特徴とする。
【００１３】
具体的態様としては、軽量折り畳み式フレキシブルコンテナバッグ・フレームにおいては、前記スタンド部材及び／又はアーム部材に形成され、フレキシブルコンテナバッグを吊り下げるための、横方向に延び出し自由端が上方に曲げられている吊り下げ部材を備えることが好ましい。フレキシブルコンテナバッグのフックを容易に取り付けることができる。
【００１４】
具体的態様としては、軽量折り畳み式フレキシブルコンテナバッグ・フレームは、前記スタンドパイプが曲げパイプであって、その曲がり部に三角スタンドを設けたことが好ましい。組み立てた状態での姿勢が安定する。
【００１５】
具体的態様としては、水平方向に延びる支持パイプと、前記支持パイプの両端部に前記支持パイプに対して軸を垂直にして取り付けられる少なくとも一対の連結パイプと、水平方向に延び出す上部及び脚部と該上部及び脚部を連結する鉛直部からなるコ字形状のスタンドパイプと、を有するスタンド部材と、水平方向に突出する両先端部を有するコ字形状に形成されるアーム部材と、を備え、前記スタンド部材の上部と前記アーム部材の両先端部とが軸方向に抜き差し可能に構成され、前記スタンドパイプの鉛直部が前記連結パイプの軸方向に移動可能かつ周方向に回動自在に前記連結パイプに挿通されることにより、前記スタンド部材が折り畳まれて平面的構成となる、ことを特徴とする軽量折り畳み式フレキシブルコンテナバック・フレームが例示される。
【考案の効果】
【００１６】
請求項１の考案の効果は次の通りである。
（１）部材が少なく、また、部材がパイプから構成されるので、強度を保ちつつ軽量化できる。
（２）スタンド部材とアーム部材とに分解し、スタンド部材が折り畳めるので、収容場所を取らない。また、組立と解体とが容易である。
（３）スタンド部材にフレキシブルコンテナバックを取り付け、アーム部材をスタンド部材に差し込むだけで簡単にセットでき、また、取り外しも容易である。
（４）フレキシブルコンテナバッグの側面の３面が壁等で拘束されていないので、様々な形状のものを収容することができる。
【００１７】
請求項２の考案によれば、組立時にスタンドパイプの高さが揃えやすい効果を奏する。
【図面の簡単な説明】
【００１８】
【図１】本発明の一実施形態のフレーム１にフレキシブルコンテナバッグを取り付けた状態での斜視図である。
【図２】フレーム１の分解斜視図である。
【図３】フレーム１の平面図である。
【図４】フレーム１の右側面図である。
【図５】フレーム１の正面図である。
【図６】（ａ）フレーム１のスタンド部５の正面図、（ｂ）は同スタンド部５の左側面図である。
【図７】（ａ）フレーム１のアーム部６の平面図、（ｂ）は同アーム部６の左側面図である。
【図８】フレーム１のスタンド部５が折り畳まれた状態を示す正面図である。
【考案を実施するための形態】
【００１９】
以下に、本考案の好適な一実施形態である軽量折り畳み式フレキシブルコンテナバッグ・フレーム１（以下、フレーム１と略す。）について図面を参照して説明する。なお、本考案の実施の形態は、下記の実施形態に何ら限定されるものではなく、本考案の技術的思想を逸脱しない範囲において、改変等を加えることができるものであり、それらの改変、均等物等も本考案の技術的範囲に含まれ、該技術的範囲に属する限り種々の形態を採り得ることは言うまでもない。
【００２０】
図１〜図８に示すフレーム１は、鉄鋼製であり、支持パイプ２と、支持パイプ２に取り付けられる一対の連結パイプ３，３と、それぞれの連結パイプ３，３の軸方向に移動可能かつ周方向に回動自在に挿通される一対のコ字形状のスタンドパイプ４，４と、を備えるスタンド部材５と、コ字形状に形成されるアーム部材６と、を備えている。このスタンド部材５の上部とアーム部材６が軸方向に抜き差し可能に構成され、スタンドパイプ４，４が連結パイプ３の軸方向に移動し周方向に回動することにより、スタンド部材５が折り畳まれて平面的構成となることを特徴とする。フレーム１では、連結パイプ３，３の下部の位置において、一対のスタンドパイプ４，４の同じ高さの位置にそれぞれストッパ７，７を設けている。フレーム１では、スタンド部材５及びアーム部材６に形成され、輪状フックＡを有するフレキシブルコンテナバッグＢを吊り下げるための、横方向に延び出し自由端が上方に曲げられている吊り下げ部材８，８を設けている。フレーム１は、スタンドパイプ４，４が曲げパイプであって、その曲がり部に三角スタンド９，９を設けている。さらに、スタンド部材５からのアーム部材６の抜けを防止する閂部１０を設けている。以下、詳細に説明する。
【００２１】
支持パイプ２は、２本の横パイプと、これらに直交して連結する４本の縦パイプと、から構成されている。横パイプ及び縦パイプの本数は任意に選択可能である。この複数本の横パイプ及び横パイプに直交してこれらを連結する複数本の縦パイプからなる直交格子状に形成された支持パイプ２の構成は例示であって、この他の構成をとり得る。例えば、支持パイプ２を１本の横パイプのみとし、後述する連結パイプ３の長さを大きくする構成が挙げられる。
【００２２】
支持パイプ２の横パイプの両端部に、軸方向が直交するように、一対の連結パイプ３，３（例えば合計４個）がそれぞれ固定されている。
【００２３】
スタンドパイプ４は、図６（ｂ）に示す通り、水平方向に延び出す上部４ａ及び脚部４ｂと該上部及び脚部を連結する鉛直部４ｃからなるコ字形状のパイプである（図６（ｂ）参照）。一対のコ字形状のスタンドパイプ４，４の鉛直部４ｃは、軸方向に移動可能かつ周方向に回動自在に、連結パイプ３，３に挿通されている。
【００２４】
図８に示す通り、スタンド部材５においては、スタンドパイプ４，４が連結パイプ３の軸方向に移動し周方向に回動することにより、このスタンド部材５が折り畳まれて平面的構成となる。スタンドパイプ４，４を連結パイプ３の軸方向に移動するのは、スタンドパイプ４，４の横パイプが重なったり、干渉したりしないように位置をずらすためである。スタンドパイプ４，４を連結パイプ３の周方向に移動するのは、支持パイプ２と同一平面に存在するように移動させるためである。
【００２５】
このスタンド部材５のスタンドパイプ４，４の上部端部とアーム部材６が軸方向に抜き差し可能に構成されるよう、アーム部材６のパイプの両先端部は縮径されている。
【００２６】
ストッパ７，７は輪状部材でありスタンドパイプ４，４の鉛直部４ｃの外表面に溶接により固定されることにより、半径方向に膨出するものである。連結パイプ３，３に対するスダンドパイプ４，４の軸方向の移動は、ストッパ７，７が連結パイプ３，３に当接することにより、所定範囲に規制されることとなる。
【００２７】
フレーム１では、スタンド部材５及びアーム部材６にそれぞれ形成された吊り下げ部材８，８に、フレキシブルコンテナバッグＢの輪状フックＡを引っ掛けることができる。
【００２８】
三角スタンド９は、スタンドパイプ４の鉛直部４ｃと脚部４ｂとの間の直角部に設けられる板状部材である。フレーム１の組立時に三角スタンド９，９の底面にある一辺が接地するようになっている。
【００２９】
閂部１０は、アーム部材６に連結された鎖１０ａと、鎖１０ａの先端に形成された座金１０ｂとを備えている。座金１０ｂは、挿通して嵌合されたスタンド部材５及びアーム部材６の２つの整列された孔に差し込むことにより、スタンド部材５からのアーム部材６の抜けを防止するものである。また、孔から座金１０ｂを抜くことによって、スタンド部材５とアーム部材６とを分離できるものである。
【００３０】
本実施形態であるフレーム１の使用方法の例を説明する。
【００３１】
〔搬送時・収容時〕
図７、図８に示す通り、スタンド部材５及びアーム部材６は分離され、スタンド部材５は折り畳まれた状態である。
【００３２】
〔フレコンバッグＢの装着時〕
スタンド部材５のスタンドパイプ４を連結パイプ３の周方向に９０°回動させ起立させ、そして、吊り下げ部材８，８が上方に、三角スタンド９，９が下に来るように、全体を引き起こすと、図２の状態になる。そして、フレキシブルコンテナバッグＢのフックＡをスタンドパイプ４，４に形成された、複数個所ここでは２か所の吊り下げ部材８，８に引っ掛ける。最後に、アーム部材６の縮径された先端部をスタンドパイプ４，４の上部の横パイプに軸方向から差し込んで連結させ、フレキシブルコンテナバッグＢのフックＡをアーム部材６に形成された複数個所ここでは２か所の吊り下げ部材８，８に引っ掛けると図１の状態になる。なお、スタンド部材５とアーム部材６とを組み立ててから、最後にフレキシブルコンテナバッグＢのフックＡを４か所の吊り下げ部材８，８に引っ掛けてもよい。
【００３３】
〔解体時〕
装着時と逆の手順で解体し、図７、図８に示す状態にする。
【００３４】
本実施形態の効果は次の通りである。
（１）スタンド部材５とアーム部材６が２つであり部材数が少なく、また、それらの部材がパイプから構成されるので、軽量化できる。
（２）スタンド部材５とアーム部材６とに分解し、スタンド部材６が折り畳んで平面的構成となるので、収容場所を取らない。また、組立と解体が容易である。
（３）スタンド部材５にフレキシブルコンテナバックＢを取り付け、アーム部材６をスタンド部材５に差し込むだけで簡単にセットでき、また、取り外しも容易である。
（４）フレキシブルコンテナバックＢの側面の３面が壁等で拘束されていないので、フレキシブルコンテナバックＢが外側に膨出でき、様々な形状のものを収容することができる。
（５）ストッパ７，７を備えているので、フレーム１の組立時にスタンドパイプ４，４の高さが揃えやすい効果を奏する。
（６）吊り下げ部材８，８を備えているので、フレキシブルコンテナバッグＢのフックＡを容易にフレーム１に取り付けることができる。
（７）三角スタンド９，９を備えているので、フレーム１を組み立てた状態での姿勢が安定する効果を奏する。
【符号の説明】
【００３５】
１・・・フレーム
２・・・支持パイプ
３，３・・・連結パイプ
４，４・・・スタンドパイプ
５・・・スタンド部材
６・・・アーム部材
７，７・・・ストッパ
Ａ・・・輪状フック
Ｂ・・・フレキシブルコンテナバッグ
８，８・・・吊り下げ部材
９，９・・・三角スタンド
１０・・・閂部
１０ａ・・・鎖
１０ｂ・・・座金
【図１】
0003161601.tif 000003
【図２】
0003161601.tif 000004
【図３】
0003161601.tif 000005
【図４】
0003161601.tif 000006
【図５】
0003161601.tif 000007
【図６】
0003161601.tif 000008
【図７】
0003161601.tif 000009
【図８】
0003161601.tif 000010